(57)【要約】【課題】線引きマーカの収納忘れを防止した移植機を提供する。【解決手段】機体左側の線引きマーカは、作業機操作レバーが後方側に操作されることによって、収納姿勢と作業姿勢とに交互に切換わり（ステップＳ４４〜Ｓ４７）、機体右側の線引きマーカは、作業機操作レバーが前方側に操作されることによって、収納姿勢と作業姿勢とに交互に切換わる（ステップＳ４８〜Ｓ５１）。また、これら左右の線引きマーカは、マーカ自動スイッチが切操作されると、両上げ状態となり、マーカ自動スイッチが入操作されると、両上げ状態まえの姿勢に復帰する（ステップＳ５２〜Ｓ５４）。【選択図】図１１
2011200207.tif 000002
【特許請求の範囲】
【請求項１】
前後の走行輪に支持された走行機体と、該走行機体の後方側で昇降自在に設けられた植付部と、機体外側に振出されて植付け次工程における走行予定線を圃場に線引きする左右の線引きマーカと、前記線引きマーカの振出し設定を行うマーカ操作部材と、該マーカ操作部材の操作に基づいて前記線引きマーカを機体外側に振出された作業姿勢にするか、機体側に収納された収納姿勢にするか設定するマーカモード設定手段と、該マーカモード設定手段の設定に基づいて左右の前記線引きマーカの姿勢を切換えるマーカ出力手段と、を備えた移植機において、
左右の前記線引きマーカの振出しを行うかどうかを切換えるマーカ自動スイッチを設け、
前記マーカモード設定手段が、
前記マーカ操作部材の一方側の操作により、該マーカ操作部材の一方側の操作と対応する一方側の前記線引きマーカを、作業姿勢と収納姿勢とに交互に切換えると共に、前記マーカ操作部材の他方側の操作により、該マーカ操作部材の他方側の操作と対応する他方側の前記線引きマーカを、作業姿勢と収納姿勢とに交互に切換える切換えモードと、
前記マーカ自動スイッチの切操作により左右の線引きマーカを共に収納姿勢にする両上げ状態にすると共に、この両上げ状態になる前の前記線引きマーカの姿勢を記憶し、前記マーカ自動スイッチの入操作によって、記憶された両上げ状態前の姿勢にする収納モードと、を有する、
ことを特徴とする移植機。
【発明の詳細な説明】
【技術分野】
【０００１】
本発明は、例えば田植機などの移植機に係り、詳しくは、機体外側に振出されて植付け次工程における走行予定線を線引きする線引きマーカの制御に関する。
【背景技術】
【０００２】
一般に、圃場の未植付け側に振出されて植付け次工程における走行予定線を線引きする線引きマーカを備えた乗用型田植機が広く知られている。従来、このような線引きマーカを備えた乗用型田植機において、ステアリングハンドルの下方に設けられた操作レバー６１によって、左右の線引きマーカ（マーカ）５０の振出し設定をするものが案出されている（特許文献１参照）。このものは、苗植付装置１０が下降した状態で、操作レバー６１の一方側の操作で一方の線引きマーカ２０を振出し、この一方の線引きマーカが振出された状態で操作レバー６１を他方側に操作すると他方側の線引きマーカ２０が振出されて両落ち状態となり、そして、この両落ち状態から再度、操作レバー６１を他方側に操作すると一方側の線引きマーカ２０が上昇するものも案出されている（特許文献２参照）。
【先行技術文献】
【特許文献】
【０００３】
【特許文献１】特許第３６３３８３５号公報
【特許文献２】特開２００７−３０６８１４号公報
【発明の概要】
【発明が解決しようとする課題】
【０００４】
上記特許文献１記載の田植機のように、操作レバー６１の操作方向と、線引きマーカ２０の振出し方向とを一致させると、操作性を向上させることができるが、メインスイッチ７０を切ってしまうと、左右の線引きマーカ２０が収納されずにその時の姿勢を維持したまま保持されてしまっていた。そのため、線引きマーカ２０の収納を忘れた場合、再度、マーカ自動制御をオンにしてから収納操作を行う必要があると共に、このような左右の線引きマーカ２０が共に収納された両上げ状態にしたい場合、いちいち操作レバー６１によって設定しなければならず面倒であった。
【０００５】
そこで、本発明は、マーカの振出しを行うかどうかを切換えるマーカ自動スイッチの切操作により、左右の線引きマーカを両上げ状態とし、該マーカ自動スイッチの入操作により、左右の線引きマーカを両上げ状態前の姿勢に復帰させるようにしたことによって、上記課題を解決した移植機を提供することを目的とする。
【課題を解決するための手段】
【０００６】
本発明は、前後の走行輪（２，３）に支持された走行機体（５）と、該走行機体（５）の後方側で昇降自在に設けられた植付部（１２）と、機体外側に振出されて植付け次工程における走行予定線を圃場に線引きする左右の線引きマーカ（２０）と、前記線引きマーカ（２０）の振出し設定を行うマーカ操作部材（２５）と、該マーカ操作部材（２５）の操作に基づいて前記線引きマーカ（２０）を機体外側に振出された作業姿勢（図４の２点鎖線位置）にするか、機体側に収納された収納姿勢（図４の実線位置）にするか設定するマーカモード設定手段（４０ａ）と、該マーカモード設定手段（４０ａ）の設定に基づいて左右の前記線引きマーカ（２０）の姿勢を切換えるマーカ出力手段（４０ｂ）と、を備えた移植機（１）において、
左右の前記線引きマーカ（２０）の振出しを行うかどうかを切換えるマーカ自動スイッチ（５５）を設け、
前記マーカモード設定手段（４０ａ）が、
前記マーカ操作部材（２５）の一方側の操作（例えば、前方側）により、該マーカ操作部材（２５）の一方側の操作と対応する一方側の前記線引きマーカ（例えば、機体右側の線引きマーカ２０）を、作業姿勢と収納姿勢とに交互に切換えると共に、前記マーカ操作部材（２５）の他方側（例えば、後方側）の操作により、該マーカ操作部材（２５）の他方側の操作と対応する他方側の前記線引きマーカ（例えば、機体左側の線引きマーカ２０）を、作業姿勢と収納姿勢とに交互に切換える切換えモードと、
前記マーカ自動スイッチ（５５）の切操作により左右の線引きマーカ（２０）を共に収納姿勢にする両上げ状態にすると共に、この両上げ状態になる前の前記線引きマーカ（２０）の姿勢を記憶し、前記マーカ自動スイッチ（５５）の入操作によって、記憶された両上げ状態前の姿勢にする収納モードと、を有する、ことを特徴とする。
【０００７】
なお、上記カッコ内の符号は、図面と対照するためのものであるが、これは、発明の理解を容易にするための便宜的なものであり、特許請求の範囲の構成に何等影響を及ぼすものではない。
【発明の効果】
【０００８】
請求項１に係る発明によると、線引きマーカの振出しを行うかどうかを設定するマーカ自動スイッチに、線引きマーカを両上げ状態にする収納スイッチの機能を付加したことにより、線引きマーカの収納忘れがなくなると共に、両上げ状態にしたい場合には、上記マーカ自動スイッチを切操作することによって、容易に両上げ状態にすることができる。
【図面の簡単な説明】
【０００９】
【図１】本発明の実施形態に係る乗用田植機の側面図。
【図２】本発明の実施形態に係る乗用田植機の作業機操作レバーを示す模式図。
【図３】本発明の実施形態に係る乗用田植機の植付部の昇降操作部を示す側面図。
【図４】本発明の実施形態に係る線引きマーカを示す正面図。
【図５】本発明の実施形態に係る線引きマーカの取付け構造を示す側面図。
【図６】本発明の実施形態に係る線引きマーカの収納時のマーカモータユニットを示す側面図。
【図７】本発明の実施形態に係る線引きマーカの振出し時のマーカモータユニットを示す側面図。
【図８】本発明の実施形態に係る移植機の制御ブロック図。
【図９】本発明の実施形態に係る移植機の線引きマーカの振出しに関する制御のメインフローチャート。
【図１０】本発明の実施形態に係る乗用田植機の作業機操作制御のメインフローチャート。
【図１１】本発明の実施形態に係る乗用田植機のマーカモード制御のフローチャート。
【図１２】本発明の実施形態に係る乗用田植機のマーカ出力制御のフローチャート。
【図１３】本発明の実施形態に係る乗用田植機の植付け工程を示した工程図。
【発明を実施するための形態】
【００１０】
以下、図面に基づき本発明の実施形態について説明をする。図１に示すように、移植機としての乗用田植機１は、前輪（走行輪）２及び後輪（走行輪）３に支持された機体（走行機体）５を有しており、該機体５の前方には、センターポール６が設けられていると共に、ボンネット７に覆われたエンジンが搭載されている。ボンネット７の後方には、ステアリングハンドル９や、作業者が着座する運転座席１０などが配設された運転操作部１１が設けられていると共に、該運転座席１０の後方側では、植付部１２が昇降リンク機構１４を介して昇降自在に機体５に連結されている。
【００１１】
上記植付部１２は、マット苗を載置する苗載せ台１３と、該苗載せ台１３から苗を掻きとって圃場に植付ける植付部１２と、を有していると共に、その後端にてロータリケース１６を回転自在に支持するプランタケース１７の下方には、圃場を均すための複数のフロート１９が設けられている。そして、これら複数のフロート１９の内、１つは作業時に圃場面の状況に応じて植付部１２を昇降制御し、植付け深さを調節するための感知フロートとなっている。
【００１２】
また、植付部１２の左右両側方には、圃場の未植付け側に振り出されて、植付け次工程における走行基準線を圃場に線引きする線引きマーカ２０が設けられており、該線引きマーカ２０は、マーカアーム２２の先端に回転自在に支持されたマーカホイール２１と、該マーカアーム２１の振出及び収納を行うマーカモータユニット２３と、を有して構成されている。
【００１３】
一方、上記ステアリングハンドル９の下方側には、図２に示すように、中立位置に復帰付勢され上下方向及び前後方向に傾倒操作可能な作業機操作レバー２５が設けられており、該作業機操作レバー（マーカ操作部材）２５を上下に操作することによって、エンジンから植付部１２への伝動系に介在し、その動力伝達を断接する植付クラッチの入切及び植付部１２の昇降操作が可能になっている。
【００１４】
具体的には、例えば、植付クラッチが接続（植付入）されている状態から作業機操作レバー２５を上方に操作すると、植付クラッチが切断（植付切）され、この植付クラッチが切断されている状態から更に作業機操作レバー２５を上方に操作すると、植付部１２が上昇する。
【００１５】
また、この植付クラッチが切断され、かつ植付部１２が上昇している状態から作業機操作レバー２５を下方に傾倒操作すると、植付クラッチが接続し、更にもう、一度作業機操作レバー２５を下方に傾倒操作すると、作業機１５が下降する。
【００１６】
更に、植付部１２が昇降作動中に、その昇降方向とは反対側に作業機操作レバー２５を操作することで作業機１５の昇降を停止させることもできる。
【００１７】
一方、作業機操作レバー２５は、前後方向に操作することによって、左右の線引きマーカ２０を、起立した状態で機体側に収納された収納姿勢（図４実線位置）と、機体外側に振り出されて伸展した作業姿勢（図４二点鎖線位置）とに切換えることができるようにも構成されている。
【００１８】
ついで、植付部１２の昇降機構について説明をする。植付部１２を昇降させる昇降リンク機構１４の昇降シリンダ１４ａ（図１参照）の伸縮は、図３に示すコントロールバルブ２６によって制御され、該コントロールバルブ２６は、側面視略矩形状の作動アーム２７を有している。該作動アーム２７の近傍には、上述した植付クラッチを断接するクラッチアーム２９が設けられており、該クラッチアーム２９及び上記コントロールバルブ２６を作動させる作動アーム２７は、作業機操作カム３０によって連動して操作されるように構成されている。作業機操作カム３０は、作業機操作カムモータ３１によって回転駆動すると共に、その回動位置を作業機操作カムポテンショ３２によって検出されている。
【００１９】
即ち、上記作業機操作レバー２５の上下方向への傾倒操作に応じて、作業機操作カム３０を、植付クラッチが切断され、かつ植付部１２が上昇位置となる上げポジションと、植付クラッチが切断され、かつ植付部１２が停止状態となる固定ポジションと、植付クラッチが切断され、かつ植付部１２が下降位置となる下げポジションと、植付クラッチが接続され、かつ植付部１２が下降位置となる植付ポジションと、の何れかの位置に作業機操作カムモータ３１によって設定することによって、上記植付部１２の昇降及び植付クラッチの断接が操作されている。
【００２０】
ついで、左右の線引きマーカ２０の構成について基づいて詳しく説明をする。線引きマーカ２０は、上述したマーカモータユニット２３によって、収納姿勢と作業姿勢とに切換えられており、該マーカモータユニット２３は、図５乃至図７に示すように、マーカモータ３５と、該マーカモータ３５の出力ギヤ３５ａと噛合するラック３６と、ラック３６の取付軸３７に取付けられたマーカ保持部材３９と、から構成されている。
【００２１】
マーカアーム２２の基端部２２ａは、上記取付軸３７に回転自在に取付けられており、スプリング４４によって作業姿勢側に付勢されていると共に、上記取付軸３７に一体に設けられたマーカ保持部材３９と当接することにより位置決めされている。
【００２２】
このマーカアーム２２は、マーカモータ３５の回転がラック３６を介して取付軸３７に伝達され、マーカ保持部材３９が該取付軸３７と一体となって回転することによって、その位置を切換え可能になっている。
【００２３】
また、図６及び図７に示すように、ラック３６の上方側には、線引きマーカ２０の収納姿勢を検出するマーカ収納検出スイッチ４１が設けられていると共に、ラック３６の下方側には、線引きマーカ２０の振出姿勢を検出するマーカ振出検出スイッチ４２が設けられており、マーカアーム２２が上方に起立して収納された場合には、ラック３６の上方カム部３６ａがマーカ収納検出スイッチ４１と当接して、線引きマーカ２０の収納姿勢が検出され（図６の状態）、マーカアーム２２が振出されている場合にはラック３６の下方カム部３６ｂがマーカ振出検出スイッチ４２に当接して、線引きマーカ２０の振出姿勢が検出される（図７の状態）。
【００２４】
ついで、移植機１の制御部４０について説明をする。図８は、移植機１の制御ブロック図であり、制御部４０の入力側には、上述した作業機操作レバー２５の上方側への傾倒操作を検出する作業機操作スイッチ（上側）５０ａ、作業機操作レバー２５の下方側への傾倒操作を検出する作業機操作スイッチ（下側）５０ｂ、作業機操作レバー２５の前方側への傾倒操作を検出するマーカ操作スイッチ（前側）５１ａ、作業機操作レバー２５の後方側への傾倒操作を検出するマーカ操作スイッチ（後側）５１ｂ、左右の線引きマーカ２０それぞれについて設けられた、マーカ収納検出スイッチ４１Ｌ，４１Ｒ、マーカ振出検出スイッチ４２Ｌ，４２Ｒ及び作業機操作カムポテンショ３２が接続されていると共に、植付部１２への動力を断接する植付クラッチの入切操作を可能とする作業準備スイッチ５３、線引きマーカの振出し操作を実行するかどうかを設定するマーカ自動スイッチ（収納スイッチ）、植付部１２の高さ位置を検知するリフト角ポテンショ５６などが接続されている。
【００２５】
一方、制御部４０の出力側には、上述した作業機操作カムモータ３１、左右のマーカモータ３５Ｒ，３５Ｌなどが接続されている。
【００２６】
また、制御部４０は、作業機操作レバー２５の前後操作に基づいて線引きマーカ２０を作業姿勢にするか、収納姿勢にするか設定するマーカモード設定手段４０ａと、該マーカモード設定手段４０ａの設定に基づいて左右の線引きマーカ２０の姿勢を切換えるマーカ出力手段４０ｂとを有していると共に、リフト角ポテンショ５６からの信号に基づいて植付部１２の昇降高さを検知し、該植付部１２が切換え基準位置（切換え高さ、所定の基準高さ）以上の上昇位置にあるか、切換え基準位置以下の下降位置にあるかを検出する昇降位置検出手段４０ｃを有している。なお、切換え基準位置は、線引きマーカ２０の振出しを実行するかどうかの基準となる振出し基準位置（振出し高さ）よりも上方側に設置されており、詳しくは後述する上方モードで設定操作を行っている際に、線引きマーカ２０の振出しが実行されることが無いようになっている。
【００２７】
ついで、上記線引きマーカ２０の制御について、図９乃至図１２に基づいて説明をする。図９は、線引きマーカ２０の振出しに関するメインフローであり、上記制御部４０は、作業中、線引きマーカ２０の振出しに係り、作業機操作制御（ステップＳ２）、マーカモード制御（スッテプＳ３）、マーカ出力制御（ステップＳ４）の各制御を、この順番で繰り返し実行している。
【００２８】
［作業機操作制御］
上記作業機操作制御は、作業機操作レバー２５による植付部１２の昇降に関する制御であり、図１０に示すように、まず作業機操作レバー２５が上方側又は下方側へ傾倒操作されたかを判断する（スッテプＳ１０、Ｓ１１）。そして、作業機操作レバー２５が上方側へと操作された場合（ステップＳ１１）、植付部１２が、下降位置にあり植付けクラッチが接続されている植付状態であると（ステップＳ１２，Ｓ１３，Ｓ１４）、制御部４０は、作業機操作カムモータ３１を作動させて作業機操作カム３０を下降ポジションとし、植付クラッチを切断する。
【００２９】
また、植付部１２が下降動作中の場合には（ステップＳ１６）、その下降動作を停止して植付部１２の位置を固定し（ステップＳ１７）、植付部１２が植付けクラッチが切断された状態で下降位置にある下降状態の場合には（ステップＳ１３、ステップＳ１６）、植付部１２を上昇させて上昇位置にする（ステップＳ１８）。なお、植付部１２が上昇位置にあるか、上昇動作中の場合には、植付部１２はそのまま上昇位置となる（ステップＳ１２）。
【００３０】
一方、作業操作レバー２５が下方側に操作された場合、まず、作業準備スイッチ５３のオン・オフが判断され（ステップＳ２０）、植付部１２を植付状態にしても良いかどうかが判断される。そして、作業準備スイッチ５３がオンされている場合に、植付部１２が下降状態にあると（ステップＳ２２，ステップＳ２４）、制御部４０は、作業機操作カムモータ３１を作動させて作業機操作カム３０を植付ポジションとし、植付クラッチを接続する（ステップＳ２３，ステップＳ２５）。
【００３１】
また、植付部１２が下降動作中の場合には、植付クラッチ入待ち状態とし（ステップＳ２６，Ｓ３１）、この植付部１２の下降動作が停止してから（ステップＳ３２）、植付クラッチを接続する（ステップＳ３３）。
【００３２】
更に、作業準備スイッチ５３のオン・オフに係らず、植付部１２が上昇動作中には（ステップＳ２０，Ｓ２８）、植付部１２は、その上昇動作を停止してその位置で固定される（ステップＳ２７）。
【００３３】
また、作業準備スイッチ５３がオフの場合には、植付クラッチを接続して植付部１２の植付状態にできないため、植付部１２が上昇動作をしていなければ、自動昇降制御の下降位置とされる（ステップＳ２９，Ｓ３０）。
【００３４】
［マーカモード制御］
ついで、線引きマーカ２０の振出し／収納を制御するマーカモード制御について説明をする。図１１に示すように、マーカモード制御では、まず作業準備スイッチ５３のオン・オフによって、植付作業が可能な状態か否かが判断される（ステップＳ４０）。
【００３５】
マーカモード設定手段４０ｂは、作業準備スイッチ５３がオンされかつ、マーカ自動スイッチ５５がオンされて線引きマーカ２０の自動制御が有効となっていると、オートマーカモードとなり、リフト角ポテンショ５６に基づいて昇降位置検出手段４０ｃが、植付部１２が所定の切換え基準位置（切換え高さ）よりも低い下方位置（下降位置及び基準位置よりも下方における下降動作中）から、所定の切換え基準位置よりも高い上方位置（上昇位置及び植付部の上昇動作中）になったことを検知した際に（即ち、植付部１２の昇降を検知すると）、植付けクラッチが接続されている場合、その度、線引きマーカ２０の振出し方向を切換える（ステップＳ４１〜Ｓ４３，Ｓ４４，Ｓ４８，Ｓ５６）。
【００３６】
一方、上記オートマーカモードにおいて、作業機操作レバー２５が前後に傾倒操作されたことが検出されると（ステップＳ４４，Ｓ４８）、マーカモード設定手段４０ｂは、左右の線引きマーカ２０の振出し設定を作業機操作レバー２５の操作によって切換える切換えモードとなる。
【００３７】
具体的に切換えモードにおいては、作業機操作レバー２５の前方操作（例えば、一方側の操作）が機体右側の線引きマーカ２０（例えば、作業機操作レバー２５の一方側の操作に対応する一方側の線引きマーカ）の振出し及び収納の操作に割り当てあれ、作業機操作レバー２５の後方操作（例えば、一方側の操作）が機体左側の線引きマーカ２０（例えば、作業機操作レバー２５の他方側の操作に対応する他方側の線引きマーカ）の振出し及び収納の操作に割当てられている。
【００３８】
即ち、マーカモード設定手段４０ｂは、切換えモードにおいて、作業機操作レバー２５が後方側に操作されると、その操作の度に機体左側の線引きマーカ２０の姿勢を、収納姿勢と作業姿勢とで交互に切換える（ステップＳ４４〜Ｓ４７）。また、切換えモードにおいて、作業機操作レバー２５が前方側に操作されると、その操作の度に機体右側の線引きマーカ２０の姿勢を、収納姿勢と作業姿勢とで交互に切換える（ステップＳ４８〜Ｓ５１）。
【００３９】
ところで、作業中にマーカ自動スイッチ５５が操作されると（ステップＳ５２）、マーカモード設定手段４０ｂは、収納モードとなり、線引きマーカ２０の自動制御が行われている場合（ステップＳ５３）、即ち、マーカモード設定手段４０ｂが、上述したオートマーカモード、上方位置モードあるいは下方位置モードの場合には、現在（両上げ状態になる前）の左右の線引きマーカ２０の姿勢を記憶すると共に、左右の線引きマーカ２０を両上げ状態に設定する（切操作ステップＳ５４）。
【００４０】
一方、マーカ自動スイッチ５５が操作された際に（ステップＳ５２）、線引きマーカ２０の自動制御が行われていない場合、即ち、マーカ自動スイッチ５５によって、線引きマーカ２０が両上げ状態に設定されている場合は、マーカモード設定手段４０ｂは、記憶された両上げ状態前の姿勢に左右の線引きマーカ２０の設定を復帰させる（入操作ステップＳ５５）。
【００４１】
即ち、マーカモード設定手段４０ｂは、線引きマーカ２０の自動制御を無効（オフ）にするマーカ自動スイッチ５５の切操作により両上げ状態にすると共に、この両上げ状態になる前の前記線引きマーカ２０の姿勢を記憶し、線引きマーカ２０の自動制御を有効（オン）にするマーカ自動スイッチ５５の入操作によって、記憶された両上げ状態前の姿勢にする。
【００４２】
［マーカ出力制御］
ついで、マーカモード制御によって設定された線引きマーカ２０の設定を実行するマーカ出力制御について説明をする。図１２に示すように、マーカ出力制御は、まず、植付部１２の高さが上述した振出し基準位置（マーカ振出し高さ）以下かどうか、即ち、植付部１２が上述した該振出し基準位置以下の振出し可能高さ（振出し実行位置）にいるかどうかを判別する（ステップＳ７０）。
【００４３】
そして、マーカ出力手段４０ｂは、植付部１２が振出し可能高さにいる場合には、マーカモード設定手段４０ａに設定された線引きマーカ２０の振出し設定に基づいて、左右のマーカモータ３５Ｌ，３５Ｒに電気信号を出力する。
【００４４】
具体的には、マーカモード設定手段４０ａによって機体右側の線引きマーカ２０の振出しが設定されると、機体右側のマーカ振出検出スイッチ４２Ｒがオンされるまで、マーカモータ（右）３５Ｒを駆動させて機体右側の線引きマーカ２０を作業姿勢にする（ステップＳ７７〜Ｓ８０）。
【００４５】
また、マーカモード設定手段４０ａによって機体右側の線引きマーカ２０の収納が設定されると、機体右側のマーカ収納検出スイッチ４１Ｒがオンされるまで、マーカモータ（右）３５Ｒを駆動させて機体右側の線引きマーカ２０を収納姿勢にする（ステップＳ８５〜Ｓ８８）。
【００４６】
一方、機体左側の線引きマーカ２０についても同様に、マーカモード設定手段４０ａによって機体左側の線引きマーカ２０の振出しが設定されると、機体左側のマーカ振出検出スイッチ４２Ｌがオンされるまで、マーカモータ（左）３５Ｌを駆動させて機体左側の線引きマーカ２０を作業姿勢にする（ステップＳ８１〜Ｓ８４）。
【００４７】
また、マーカモード設定手段４０ａによって機体左側の線引きマーカ２０の収納が設定されると、機体左側のマーカ収納検出スイッチ４１Ｌがオンされるまで、マーカモータ（左）３５Ｌを駆動させて機体左側の線引きマーカ２０を収納姿勢にする（ステップＳ８９〜Ｓ９２）。
【００４８】
また、植付部１２が振出し基準位置よりも高い場合、即ち、該振出し基準位置よりも高い振出し待機高さ（振出し待機位置）にある場合には、マーカ出力手段４０ｂは、左右のマーカ収納検出スイッチ４１Ｌ，４１Ｒがオンされているかどうかを検出し、マーカ収納検出スイッチ４１Ｌ，４１Ｒがオンされていない場合には、オンされていない側のマーカモータ３５Ｌ，３５Ｒを駆動させて、線引きマーカ２０を収納姿勢とする（ステップＳ７０〜Ｓ７４）。言い換えると、マーカ出力手段４０ｂは、植付部１２が上方位置にある際には、左右の線引きマーカ２０を収納姿勢とした両上げ状態にする。
【００４９】
ついで、実際の圃場上での動作について説明をする。
【００５０】
作業者は、植付作業を開始するにあたって機体５に乗り込んでエンジンをスタートさせると、圃場の入口から入り、入口とは対角位置から植付け作業を開始する。
【００５１】
作業者は、植付け作業を開始するにあたって、１条分だけ圃場際から離れた位置を作業開始位置に設定すると共に、植付部１２を上昇させて、線引きマーカ２０の振出し設定を行う。この振出し設定を行う際に、作業者は、まず、植付け次工程で振出しを行いたい線引きマーカ２０（図１３においては機体左側の線引きマーカ２０）を振出すように、作業機操作レバー２５を後方側に傾倒操作すると共に、その後、作業機操作レバー２５を前方側に傾倒操作して、両落ち状態を設定する。
【００５２】
そして、この線引きマーカ２０の設定が終わると、作業機操作レバー２５を下方側に操作して、植付部１２を下降させると共に、機体５の両側に左右の線引きマーカ２０で走行予定線を線引きしながら、植付け作業を行う（工程１）。
【００５３】
作業者は、田植機１が反対側の圃場端まで来ると旋回する。すると自動的に植付部１２が上昇すると共に、左右の線引きマーカ２０が一旦、収納される。旋回が終わり、作業者が作業機操作レバー２５を下方側に操作して植付部１２を下降させると、先に振出し設定された左側の線引きマーカ２０が振出される。そして、その後、旋回の度に自動的に左右の線引きマーカ２０の振出し方向を切換えて、圃場の未植付け側に走行予定線を線引きしながら、植付作業を進行する。
【００５４】
ところで、例えば図１３の地点Ａのように、植付け作業の途中で苗載せ台１３に苗を補給する場合、作業者は、植付部１２を上昇させる。苗の補給が完了して、植付部１２を下降させると、線引きマーカ２０の振出し方向が切換わって、機体右側の線引きマーカ２０が振出されるため、作業者は、作業機操作レバー２５を後方側に傾倒操作して、機体右側の線引きマーカ２０を振出すと共に、作業機操作レバー２５を前方側に傾倒操作して、機体左側の線引きマーカ２０を収納し、植付作業を続行する。
【００５５】
植付作業が進行して、図１３の地点Ｂのように、最終植付け工程の１つ前の植付けが終了すると、作業者は、旋回する前にマーカ自動スイッチ５５を押操作して左右の線引きマーカを両上げ状態にし、圃場端に苗を植付けて行く。
【００５６】
この最終植付け工程が終了すると、作業者は、線引きマーカ２０を両上げ状態にしたまま代掻き部を走行しながら植付けを行い（工程２）、反対側の圃場端まで来ると、最初に引いておいた走行予定線を目安として植付けを行いながら走行する（工程３）。
【００５７】
そして、再度、反対側の代掻き部分に苗を植付けながら走行し、圃場の入口から圃場外へと出る。
【００５８】
上述したように、線引きマーカ２０の振出しを行うかどうかを設定するマーカ自動スイッチ５５に、線引きマーカ２０を両上げ状態にする収納スイッチの機能を付加したことにより、線引きマーカ２０の収納忘れがなくなると共に、両上げ状態にしたい場合には、上記マーカ自動スイッチ５５を切操作することによって、容易に両上げ状態にすることができる。また、作業機操作レバー２５の操作方向と、左右の線引きマーカ２０の操作方向とが固定されているため、作業者は、自己の感覚に従って、容易に線引きマーカ２０を操作することができる。
【００５９】
なお、上記線引きマーカ２０は、スイッチなどによって切換えられても良い。また、本実施形態では、乗用型田植機について説明したが、歩行型の田植機など、本発明は、どのような移植機に適用しても良い。
【符号の説明】
【００６０】
１      移植機（乗用型田植機）
２      走行輪（前輪）
３      走行輪（後輪）
５      走行機体
１２    植付部
２０    線引きマーカ
２５    マーカ操作部材（作業機操作レバー）
４０ａ  マーカモード設定手段
４０ｂ  マーカ出力手段
５５    マーカ自動スイッチ
【図１】
2011200207.tif 000003
【図２】
2011200207.tif 000004
【図３】
2011200207.tif 000005
【図４】
2011200207.tif 000006
【図５】
2011200207.tif 000007
【図６】
2011200207.tif 000008
【図７】
2011200207.tif 000009
【図８】
2011200207.tif 000010
【図９】
2011200207.tif 000011
【図１０】
2011200207.tif 000012
【図１１】
2011200207.tif 000013
【図１２】
2011200207.tif 000014
【図１３】
2011200207.tif 000015